【手続補正書】
【提出日】平成15年12月8日(2003.12.8)
【手続補正１】
【補正対象書類名】明細書
【補正対象項目名】特許請求の範囲
【補正方法】変更
【補正の内容】
【特許請求の範囲】
【請求項１】
ネットワークを介してハイパーリンク形式のデータをダウンロードし、所定の処理を施す画像処理装置において、
印字すべき範囲の印字情報に含まれるリンク先のデータをすべてダウンロードした後に、ダウンロードしたデータを印字機構に供給する出力手段を具備したことを特徴とする画像処理装置。
【請求項２】
請求項１に記載の画像処理装置において、
前記出力手段によるダウンロードおよび供給処理は、ネットワークに接続されているコンピュータのプリンタドライバを起動させることにより実行されることを特徴とする画像処理装置。
【請求項３】
ネットワークを介してハイパーリンク形式のデータをダウンロードし、所定の処理を施す画像処理装置において、
外部のホストコンピュータから与えられるネットワーク上の所在情報と、該所在情報にアクセスすることによりダウンロードされるデータを印字すべき旨のプリント命令とを入力する通信手段と、
前記プリント命令により指定された印字範囲内の印字情報に含まれるリンク先のデータをすべてダウンロードした後に、ダウンロードしたデータを印字する印字手段とを具備したことを特徴とする画像処理装置。
【請求項４】
請求項３に記載の画像処理装置において、
前記画像処理装置は、前記ホストコンピュータおよび前記ネットワークに接続されたプリンタ装置であることを特徴とする画像処理装置。
【請求項５】
ネットワークを介してハイパーリンク形式のデータをダウンロードし、所定の処理を施す画像処理方法において、
印字すべき範囲の印字情報に含まれるリンク先のデータをすべてダウンロードした後に、ダウンロードしたデータを印字機構に供給する出力処理ステップを具備したことを特徴とする画像処理方法。
【請求項６】
請求項５に記載の画像処理方法において、
前記出力処理ステップによるダウンロードおよび供給処理は、ネットワークに接続されているコンピュータのプリンタドライバを起動させることにより実行されることを特徴とする画像処理方法。
【請求項７】
ネットワークを介してハイパーリンク形式のデータをダウンロードし、所定の処理を施す画像処理方法において、
外部のホストコンピュータから与えられるネットワーク上の所在情報と、該所在情報にアクセスすることによりダウンロードされるデータを印字すべき旨のプリント命令とを入力する通信ステップと、
前記プリント命令により指定された印字範囲内の印字情報に含まれるリンク先のデータをすべてダウンロードした後に、ダウンロードしたデータを印字する印字ステップとを具備したことを特徴とする画像処理方法。
【請求項８】
請求項７に記載の画像処理方法において、
前記通信ステップおよび前記印字ステップは、前記ホストコンピュータおよび前記ネットワークに接続されたプリンタにより実行されることを特徴とする画像処理方法。
【請求項９】
請求項７に記載の画像処理方法において、
前記通信ステップおよび前記印字ステップは、前記ホストコンピュータおよび前記ネットワークに接続された複合機能装置により実行されることを特徴とする画像処理方法。
【請求項１０】
請求項９に記載の画像処理方法において、
前記複合機能装置に含まれるプリンタ機能は、印字範囲内にあるリンク先のデータをすべてダウンロードするまで印刷資源の使用を停止させることを特徴とする画像処理方法。
【請求項１１】
ネットワークを介してハイパーリンク形式のデータをダウンロードし、所定の処理を施すに際して、
印字すべき範囲の印字情報に含まれるリンク先のデータをすべてダウンロードした後に、ダウンロードしたデータを印字機構に供給する出力処理ステップを読み出し可能なプログラムの形態で記憶したことを特徴とする記憶媒体。
【請求項１２】
ネットワークを介してハイパーリンク形式のデータをダウンロードし、所定の処理を施すに際して、
外部のホストコンピュータから与えられるネットワーク上の所在情報と、該所在情報にアクセスすることによりダウンロードされるデータを印字すべき旨のプリント命令とを入力する通信ステップと、
前記プリント命令により指定された印字範囲内の印字情報に含まれるリンク先のデータをすべてダウンロードした後に、ダウンロードしたデータを印字する印字ステップとを、読み出し可能なプログラムの形態で記憶したことを特徴とする記憶媒体。
【手続補正２】
【補正対象書類名】明細書
【補正対象項目名】００１０
【補正方法】変更
【補正の内容】
【００１０】
【課題を解決するための手段】
上記の目的を達成するために、請求項１に係る本発明は、ネットワークを介してハイパーリンク形式のデータをダウンロードし、所定の処理を施す画像処理装置において、印字すべき範囲の印字情報に含まれるリンク先のデータをすべてダウンロードした後に、ダウンロードしたデータを印字機構に供給する出力手段を具備した画像処理装置である。
請求項２に係る本発明は、請求項１に係る画像処理装置において、前記出力手段によるダウンロードおよび供給処理は、ネットワークに接続されているコンピュータのプリンタドライバを起動させることにより実行される。
請求項３に係る本発明は、ネットワークを介してハイパーリンク形式のデータをダウンロードし、所定の処理を施す画像処理装置において、外部のホストコンピュータから与えられるネットワーク上の所在情報と、該所在情報にアクセスすることによりダウンロードされるデータを印字すべき旨のプリント命令とを入力する通信手段と、前記プリント命令により指定された印字範囲内の印字情報に含まれるリンク先のデータをすべてダウンロードした後に、ダウンロードしたデータを印字する印字手段とを具備した画像処理装置である。
請求項４に係る本発明は、請求項３に係る画像処理装置において、前記画像処理装置は、前記ホストコンピュータおよび前記ネットワークに接続されたプリンタ装置である。
請求項５に係る本発明は、ネットワークを介してハイパーリンク形式のデータをダウンロードし、所定の処理を施す画像処理方法において、印字すべき範囲の印字情報に含まれるリンク先のデータをすべてダウンロードした後に、ダウンロードしたデータを印字機構に供給する出力処理ステップを具備したものである。
請求項６に係る本発明は、請求項５に係る画像処理方法において、前記出力処理ステップによるダウンロードおよび供給処理は、ネットワークに接続されているコンピュータのプリンタドライバを起動させることにより実行される。
請求項７に係る本発明は、ネットワークを介してハイパーリンク形式のデータをダウンロードし、所定の処理を施す画像処理方法において、外部のホストコンピュータから与えられるネットワーク上の所在情報と、該所在情報にアクセスすることによりダウンロードされるデータを印字すべき旨のプリント命令とを入力する通信ステップと、前記プリント命令により指定された印字範囲内の印字情報に含まれるリンク先のデータをすべてダウンロードした後に、ダウンロードしたデータを印字する印字ステップとを具備したものである。
請求項８に係る本発明は、請求項７に係る画像処理方法において、前記通信ステップおよび前記印字ステップは、前記ホストコンピュータおよび前記ネットワークに接続されたプリンタにより実行される。
請求項９に係る本発明は、請求項７に係る画像処理方法において、前記通信ステップおよび前記印字ステップは、前記ホストコンピュータおよび前記ネットワークに接続された複合機能装置により実行される。
請求項１０に係る本発明は、請求項９に係る画像処理方法において、前記複合機能装置に含まれるプリンタ機能は、印字範囲内にあるリンク先のデータをすべてダウンロードするまで印刷資源の使用を停止させる。
請求項１１に係る本発明は、ネットワークを介してハイパーリンク形式のデータをダウンロードし、所定の処理を施すに際して、印字すべき範囲の印字情報に含まれるリンク先のデータをすべてダウンロードした後に、ダウンロードしたデータを印字機構に供給する出力処理ステップを読み出し可能なプログラムの形態で記憶した記憶媒体である。
請求項１２に係る本発明は、ネットワークを介してハイパーリンク形式のデータをダウンロードし、所定の処理を施すに際して、外部のホストコンピュータから与えられるネットワーク上の所在情報と、該所在情報にアクセスすることによりダウンロードされるデータを印字すべき旨のプリント命令とを入力する通信ステップと、前記プリント命令により指定された印字範囲内の印字情報に含まれるリンク先のデータをすべてダウンロードした後に、ダウンロードしたデータを印字する印字ステップとを、読み出し可能なプログラムの形態で記憶した記憶媒体である。


【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】